(57)【要約】      （修正有）【課題】安定した接合構造が形成され、また卓面の強度と耐荷重能力を増加させることが可能となるテーブルの組立構造を提供する。【解決手段】卓面及びペデスタルマウントを備え、卓面の接合部の嵌め孔に沿って２つの垂直の嵌め溝が設けられ、嵌め溝が底部に近接する位置に水平方向の漸縮溝が延設され、漸縮溝に止め凸部が設けられる。また支柱の径方向に貫設された位置決めピンの両側が嵌め孔の嵌め溝から嵌入し、漸縮溝の末端と止め凸部との間に対応して嵌合することによって、支柱を接合部の嵌め孔と底孔内に固着させる。【選択図】図１
0003178724.tif 000002
【実用新案登録請求の範囲】
【請求項１】
テーブルの組立構造であって、
接合部を有し、前記接合部には嵌め孔が設けれている卓面と、
支柱とベースプレートとを有し、前記支柱と前記ベースプレートとは連結されているペデスタルマウントと、を備え、
前記接合部の前記嵌め孔に沿って２つの垂直の嵌め溝が設けられ、前記嵌め溝が底部に近接する位置に水平方向の漸縮溝が延設され、前記漸縮溝に止め凸部が設けられ、また前記支柱の径方向に貫設された位置決めピンの両側が前記嵌め孔の前記嵌め溝から嵌入し、前記漸縮溝の末端と前記止め凸部との間に対応して嵌合することによって、前記支柱を前記接合部の前記嵌め孔内に固着させることを特徴とする、テーブルの組立構造。
【請求項２】
前記接合部の嵌め孔は、さらに底部に底孔が延設されることを特徴とする、請求項１記載のテーブルの組立構造。
【請求項３】
前記接合部の周縁には、さらに複数のリブ板が設けられることを特徴とする、請求項１記載のテーブルの組立構造。
【考案の詳細な説明】
【技術分野】
【０００１】
本考案は、テーブルの組立構造に係り、特に、溝、孔及び位置決めピンなどの接合部材で形成された嵌合構造によって、テーブルの卓面とペデスタルマウントは一時的に連結されているものに関する。
【背景技術】
【０００２】
従来のテーブルの組立構造は、複雑型構造と嵌設型構造を用いることによりデープルの取付け・取外しの利便性を向上させた。組立式テーブルを組立てと取外しするための取付け・取外し可能な機能を提供する要求を達成できるものの、しかし、使用時において、構成部材の構造の複雑さが原因で全体装置の使用上の利便性と機動自在性が低下してしまう欠点、または、使用上の利便性と機動自在性の不足問題が存在する場合には、組立式テーブルの構造によって生じる具体的な産業効果をより適切かつ効率的に発揮できないことがある。
【考案の概要】
【考案が解決しようとする課題】
【０００３】
本考案の主要な目的は、容易に組合せられるというメッリトがあるため、使用の利便さと機動自在性を向上することができ、これによって、組立式テーブルを組立てと取外しするための取付け・取外し可能な機能の要求、及び荷重状態における強度の基本耐荷能力が達成されるほかに、強化された構造設計と取付け・取外し操作が簡単かつ直感的に行える性能といった具体的な要求と商業化利益を兼ね備えるものを提供することである。
【０００４】
本考案の別の目的は、一体成形による簡素化した構造設計を備えると同時に、耐荷重能力も兼ねて配慮する組立式テーブルを達成することである。
【課題を解決するための手段】
【０００５】
本考案のテーブルの組立構造は、上記目的を達成するために、接合部を有し、接合部には嵌め孔が設けれている卓面と、支柱とベースプレートとを有し、支柱とベースプレートとは連結されているペデスタルマウントと、を備えるテーブルの組立構造において、接合部の嵌め孔に沿って２つの垂直の嵌め溝が設けられ、嵌め溝が底部に近接する位置に水平方向の漸縮溝が延設され、漸縮溝に止め凸部が設けられ、また支柱の径方向に貫設された位置決めピンの両側が嵌め孔の嵌め溝から嵌入し、漸縮溝の末端と止め凸部との間に対応して嵌合することによって、支柱を接合部の嵌め孔内に固着させる。なお、接合部の嵌め孔は、さらに底部に底孔が延設されてもよい。また、接合部の周縁には、さらに複数のリブ板が設けられてもよい。
【考案の効果】
【０００６】
本考案のテーブルの組立構造の利点と特徴は、以下のとおりである。
１．構造が簡単であり、構成部材が非常に少ないので、取付け・取外しがより容易に行うことができ、かつ時間を節約できる。
２．一体成形化した構造設計を備えることにより、強度が良好であり、しかも生産コストが低減できる。
３．簡素化した構造設計を備えると同時に、全体の耐荷重能力も兼ねて配慮することができる。
４．取付け・取外し操作が直感的かつ簡単に行える性能要求を満たすので、商業化利益を上げることができる。
５．連結部位が格納式構造設計であるため、機能性と美観を兼ね備えた。
【図面の簡単な説明】
【０００７】
【図１】本考案に係る一実施例の全体構造を示す外観分解図である。
【図２】本考案に係る一実施例の全体構造を示す外観組立て図である。
【図３】本考案に係る一実施例の全体構造を示す側断面分解図である。
【図４】本考案に係る一実施例の支柱と接合部の組合せを示す断面図である。
【考案を実施するための形態】
【０００８】
図１、図２に示すように、本考案は、接合部１１を有し、前記接合部１１には嵌め孔１１１が設けれている卓面１と、支柱２１とベースプレート２２とを有し、前記支柱２１とベースプレート２２とは連結されているペデスタルマウント２と、を備えるように構成される。
【０００９】
図３に示すように、前記接合部１１の嵌め孔１１１に沿って２つの垂直の嵌め溝１１１１が設けられ、前記嵌め溝１１１１が底部に近接する位置に水平方向の漸縮溝１１１２が延設され、前記漸縮溝１１１２に止め凸部１１１３が設けられ、また支柱２１の径方向に貫設された位置決めピン２１１の両側が、支柱２１から突出する構造として形成されるものである。
【００１０】
上述した前記接合部１１の嵌め孔１１１は、さらに底部に底孔１１２が延設され、かつ、前記接合部１１の周縁には、さらに複数のリブ板１２が設けられる。
【００１１】
図３、図４に示すように、支柱２１の径方向に貫設された位置決めピン２１１の両側が嵌め孔１１１の嵌め溝１１１１から底部までに嵌入して支柱２１を回転することによって、位置決めピン２１１の両側が止め凸部１１１３を超えるまでに位置決めピン２１１の両側がそれぞれ１８０度を呈する対称的な漸縮溝１１１２に進入するように構成される。また前記漸縮溝１１１２の末端と止め凸部１１１３との間に対応して嵌合することによって、漸縮溝１１１２と、止め凸部１１１３と、位置決めピン２１１との三者の間に一時的な締着が形成されることにより、支柱２１を接合部１１の嵌め孔１１１内に固着させることが確保される。しかも支柱２１の前端が嵌め孔１１１の底部に延設された底孔１１２内に嵌入されることにより、ペデスタルマウント２の支柱２１と接合部１１の嵌め孔１１１との間の組合せの連結堅固性を増加させることができる。さらに、前記接合部１１の周縁に設けられた複数のリブ板１２により、卓面１の強度と耐荷重能力を増加させることが可能となる。
【００１２】
ペデスタルマウント２の支柱２１と接合部１１の嵌め孔１１１との間の連結強度は、下記の３つの双対的な連結機構により共同形成される。
第１双対的な連結機構が、支柱２１の側円面と嵌め孔１１１との間の広い範囲の面接触により構成されている。
第２双対的な連結機構が、支柱２１の端面と底孔１１２との間の狭い範囲の面接触により構成されている。
第２双対的な連結機構が、漸縮溝１１１２と、止め凸部１１１３と、位置決めピン２１１との三者の間の線接触と狭い範囲の面接触により構成されている。
【符号の説明】
【００１３】
１    卓面
１１    接合部
１１１    嵌め孔
１１１１    嵌め溝
１１１２    漸縮溝
１１１３    止め凸部
１１２    底孔
１２    リブ板
２    ペデスタルマウント
２１    支柱
２１１    位置決めピン
２２    ベースプレート
【図１】
0003178724.tif 000003
【図２】
0003178724.tif 000004
【図３】
0003178724.tif 000005
【図４】
0003178724.tif 000006